(57)【要約】【課題】天井内における設置スペースの水平方向の幅が小さくても、室内機本体内に取り込まれる空気の量が低減してしまうことを抑制することができる空気調和装置の室内機を提供することを目的としている。【解決手段】下面吸込口及び第１の横側面吸込口のうちのいずれにも取付可能であって開放されている方に取り付けられるフィルタ部を有し、本体の上面には、第１の横側面吸込口とともに本体内に空気を取り込む上面吸込口が形成されているものである。【選択図】図１
2015068550.tif 000002
【特許請求の範囲】
【請求項１】
下面に下面吸込口が形成され、第１の横側面に第１の横側面吸込口が形成された本体と、前記下面吸込口及び前記第１の横側面吸込口のうちの一方を塞ぐふさぎ板とを有し、前記下面吸込口及び前記第１の横側面吸込口のうちの他方を開放して前記本体内に空気を取り込む空気調和装置の室内機において、
前記下面吸込口及び前記第１の横側面吸込口のうちのいずれにも取付可能であって開放されている方に取り付けられるフィルタ部を有し、
前記本体の上面には、
前記第１の横側面吸込口とともに前記本体内に空気を取り込む上面吸込口が形成されている
ことを特徴とする空気調和装置の室内機。
【請求項２】
前記フィルタ部は、
形状を変えて前記下面吸込口、前記第１の横側面吸込口及び前記上面吸込口のいずれにも設けられる
ことを特徴とする請求項１に記載の空気調和装置の室内機。
【請求項３】
前記上面吸込口は、
前記本体の前記上面のうちの前記第１の横側面側に形成されている
ことを特徴とする請求項１又は２に記載の空気調和装置の室内機。
【請求項４】
前記本体に着脱自在に取り付けられ、前記フィルタ部を保持するフィルタ部レールを有する
ことを特徴とする請求項１〜３のいずれか一項に記載の空気調和装置の室内機。
【請求項５】
前記ふさぎ板で前記下面吸込口が閉塞された場合において、
前記フィルタ部レールは、
前記第１の横側面吸込口に取り付けられる
ことを特徴とする請求項４に記載の空気調和装置の室内機。
【請求項６】
前記ふさぎ板で前記第１の横側面吸込口が閉塞された場合において、
前記フィルタ部レールは、
前記下面吸込口に取り付けられる
ことを特徴とする請求項４に記載の空気調和装置の室内機。
【請求項７】
前記ふさぎ板は、
前記フィルタ部レールに取り付けられるダミーフィルタ部で構成されている
ことを特徴とする請求項４〜６のいずれか一項に記載の空気調和装置の室内機。
【請求項８】
前記ふさぎ板で前記下面吸込口が閉塞され、前記第１の横側面吸込口に前記フィルタ部レールが取り付けられている場合において、
前記本体の前記第１の横側面に設けられ、前記第１の横側面吸込口から前記上面吸込口に向かって延びるフィルタ部ガイドを有し、
前記フィルタ部は、
前記第１の横側面吸込口側が前記フィルタ部レールに保持された際、前記フィルタ部レールに保持された部分よりも上側が前記フィルタ部ガイドにおいて湾曲され、前記第１の横側面吸込口及び前記上面吸込口に対向するように設けられている
ことを特徴とする請求項４〜７のいずれか一項に記載の空気調和装置の室内機。
【請求項９】
前記フィルタ部は、
フィルタ及び前記フィルタを保持する枠部を有し、
前記枠部は、
前記第１の横側面吸込口又は前記下面吸込口の長手方向に平行に形成された長手枠と、
前記第１の横側面吸込口又は前記下面吸込口の短手方向に平行に形成された短手枠とを有し、複数の前記長手枠と複数の前記短手枠とが交差するように接続して構成され、
前記短手枠は、
前記長手枠との交差部分よりも、隣接する前記交差部分の間の部分の方が薄肉に形成されている
ことを特徴とする請求項１〜８のいずれか一項に記載の空気調和装置の室内機。
【請求項１０】
前記長手枠には、
前記フィルタの長手方向に伸びるように補強用リブが形成されている
ことを特徴とする請求項９に記載の空気調和装置の室内機。
【請求項１１】
前記フィルタ部は、
分割された第１のフィルタ部及び第２のフィルタ部を有し、
前記第１のフィルタ部及び前記第２のフィルタ部は、
前記第１のフィルタ部の端部側と、前記第１のフィルタ部の端部側に対向する前記第２のフィルタ部の端部側とを連結する複数の連結部が設けられている
ことを特徴とする請求項１〜１０のいずれか一項に記載の空気調和装置の室内機。
【発明の詳細な説明】
【技術分野】
【０００１】
本発明は、空気調和装置の室内機に関するものである。
【背景技術】
【０００２】
空気調和装置には、空調対象空間（たとえば、室内、ビルの一室、倉庫など）の天井内に室内機が設置されるものが存在する。ここで、天井内のスペースは狭く限られており、室内機などを天井内に設置しにくい場合がある。すなわち、天井内に室内機を設置したときに、天井部分（たとえば、天井内の壁面など）と室内機本体の吸込口との間隔を確保できず、室内機本体内に空気を十分に取り込むことができなくなる場合がある。
【０００３】
そこで、天井内に設置される空気調和装置の室内機には、室内機本体の下面と室内機本体の横側面とで吸込口の位置を変更することができるものが提案されている（たとえば、特許文献１参照）。特許文献１に記載の技術は、室内機本体の外郭の一部を構成する外郭板材を室内機本体の下面に取り付けることで室内機本体の下面を閉塞する一方で、横側面が開放されて吸込口が形成されているようになっている。逆に、上記外郭板材を室内機本体の横側面に取り付けることで室内機本体の横側面を閉塞する一方で、下面が開放されて吸込口が形成されているようになっている。
【０００４】
このように、特許文献１に記載の空気調和装置の室内機は、天井内における様々な設置状況に対応できるように、下吸込仕様と横吸込仕様とを変更できるように構成されている。このため、たとえば室内機本体の横側面とこの横側面に対向する天井部分との間隔が確保できない場合には、室内機本体の下面を吸込口とする変更をすることで室内機本体内に空気を取り込むことができるようになっている。
【先行技術文献】
【特許文献】
【０００５】
【特許文献１】特開平８−２７０９７８号公報（たとえば、図４及び図５参照）
【発明の概要】
【発明が解決しようとする課題】
【０００６】
特許文献１に記載の技術では、天井内における設置スペースの奥行、すなわち設置スペースの水平方向の幅が小さく、室内機本体の横側面と、この横側面と対向する天井部分との間隔が確保できない場合には、下吸込仕様とすることで室内機本体に取り込む空気の量が低減しないようにすることができる。しかし、下吸込仕様では室内機本体の下面を開放するので、たとえば天井が低い建物であったり、天井内の音が響きやすかったりすると、室内機に搭載された送風機のモータの回転音、送風機のファンの風切音などが空調対象空間に届き、ユーザーの快適性を損ねてしまう場合がある。このため、下吸込仕様としたくない場合がある。
【０００７】
すなわち、特許文献１に記載の技術では、天井内における設置スペースの水平方向の幅が小さい場合において、横吸込仕様とすると室内機本体内に空気が取り込まれにくくなってしまうという課題がある。
【０００８】
本発明は、以上のような課題を解決するためになされたもので、天井内における設置スペースの水平方向の幅が小さくても、室内機本体内に取り込まれる空気の量が低減してしまうことを抑制することができる空気調和装置の室内機を提供することを目的としている。
【課題を解決するための手段】
【０００９】
本発明に係る空気調和装置の室内機は、下面に下面吸込口が形成され、第１の横側面に第１の横側面吸込口が形成された本体と、下面吸込口及び第１の横側面吸込口のうちの一方を塞ぐふさぎ板とを有し、下面吸込口及び第１の横側面吸込口のうちの他方を開放して本体内に空気を取り込む空気調和装置の室内機において、下面吸込口及び第１の横側面吸込口のうちのいずれにも取付可能であって開放されている方に取り付けられるフィルタ部を有し、本体の上面には、第１の横側面吸込口とともに本体内に空気を取り込む上面吸込口が形成されているものである。
【発明の効果】
【００１０】
本発明に係る空気調和装置の室内機によれば、上記構成を有しているため、天井内における設置スペースの水平方向の幅が小さくても、室内機本体内に取り込まれる空気の量が低減してしまうことを抑制することができる。
【図面の簡単な説明】
【００１１】
【図１】本発明の実施の形態１に係る空気調和装置の室内機を横吸込仕様とした場合の（ａ）斜視図及び（ｂ）縦断面図である。
【図２】図１に示す横吸込仕様の室内機を下がり天井内に設置した場合の模式図である。
【図３】本発明の実施の形態１に係る空気調和装置の室内機を下吸込仕様とした場合の（ａ）斜視図及び（ｂ）縦断面図である。
【図４】図３に示す下吸込仕様の室内機を下がり天井内に設置した場合の模式図である。
【図５】本発明の実施の形態１に係る空気調和装置の室内機について、横吸込仕様及び上吸込仕様を併用した場合の（ａ）斜視図及び（ｂ）縦断面図である。
【図６】図５に示す横吸込仕様及び上吸込仕様の室内機を下がり天井内に設置した場合の模式図である。
【図７】本発明の実施の形態２に係る空気調和装置の室内機のフィルタ部の取付方法及び取り付けた状態について説明する斜視図である。
【図８】図５に示す横吸込仕様及び上吸込仕様の室内機にフィルタ部が取り付けられた状態における短手方向に平行な縦断面図である。
【図９】湾曲している状態のフィルタ部の斜視図である。
【図１０】下吸込仕様とした室内機のフィルタ部の取付方法及び取り付けた状態について説明する斜視図である。
【図１１】本発明の実施の形態２に係る空気調和装置の室内機のフィルタ部の説明図である。
【図１２】本発明の実施の形態３に係る空気調和装置の室内機の斜視図である。
【図１３】図１２に示す室内機の第１の横側面の第１の横側面吸込口に加えて、第２の横側面の第２の横側面吸込口を開放した状態の説明図である。
【図１４】本発明の実施の形態４に係る空気調和装置の室内機の説明図である。
【図１５】第１の横側面吸込口を閉塞するようにふさぎ板大及びふさぎ板小を室内機に取り付けた状態の室内機の斜視図である。
【図１６】下面吸込口を閉塞するようにふさぎ板大及びふさぎ板小を室内機に取り付けた状態の室内機の斜視図である。
【図１７】フィルタ部の一部を取り去る構造の一例についての説明図である。
【図１８】本発明の実施の形態５に係る空気調和装置の室内機の第１の横側面吸込口をダミーフィルタで閉塞し、下吸込仕様とした場合の斜視図である。
【図１９】本発明の実施の形態５に係る空気調和装置の室内機の下面吸込口をダミーフィルタで閉塞し、横吸込仕様とした場合の斜視図である。
【発明を実施するための形態】
【００１２】
以下、本発明の実施の形態を図面に基づいて説明する。
実施の形態１．  
図１は、実施の形態１に係る空気調和装置の室内機１を横吸込仕様とした場合の（ａ）斜視図及び（ｂ）縦断面図である。図２は、図１に示す横吸込仕様の室内機１を下がり天井３３内に設置した場合の模式図である。図１及び図２を参照して、室内機１の各種構成について説明する。
【００１３】
（室内機１）
室内機１は、図示省略の室外機と冷媒配管で接続されているものである。室内機１は、図１（ａ）に示すように、室内機１の外郭を構成する直方体の本体１Ａを有している。
すなわち、本体１Ａは、４つの横側面、上面Ｂ１及び下面Ｂ２、を有している。なお、４つの横側面とは、第１の横側面吸込口７１が形成される第１の横側面Ａ１と、第１の横側面Ａ１と直交する第２の横側面Ａ２及び第３の横側面Ａ３と、吹出口７４が形成される第４の横側面Ａ４とである。なお、第１の横側面Ａ１から第４の横側面Ａ４に向かう方向を正面方向（前方向）としたとき、正面方向に対して右側が第２の横側面Ａ２であり、左側が第３の横側面Ａ３である。
【００１４】
室内機１の本体１Ａは、室内機１の上面Ｂ１の外郭を構成する上パネル１１と、第２の横側面Ａ２を構成するパネル１２と、第３の横側面Ａ３を構成するパネル（図示省略）、及び、下面Ｂ２又は第１の横側面Ａ１を閉塞するのに利用されるふさぎ板１４などによって構成される。なお、ふさぎ板１４は、たとえばネジなどで室内機１の外郭に取り付けられる。ただし、ネジに限定されるものではなく、たとえば爪などで室内機１の外郭に取り付けられる構成であってもよい。室内機１の本体１Ａ内には、蒸発器や凝縮器として機能する室内熱交換器５１が設けられた熱交換器室２と、室内機１内に空気を取り込んだ後に室内機１外に空気を放出する送風機４１が設けられた送風機室３とが設けられている。
【００１５】
室内機１は、天井埋込型の室内機である。すなわち、室内機１は、図２に示すように、たとえば空調対象空間（たとえば、室内、ビルの一室、倉庫など）の上部の建物躯体８１と下がり天井３３との間に形成される空間Ｓに配置される。この空間Ｓには、天井吸込口３１及び天井吹出口３２が形成されている。すなわち、天井吸込口３１から空間Ｓ内に取り込まれた空気は室内機１に流入し、室内機１から空間Ｓに流出した空気は天井吹出口３２を介して空調対象空間に供給される。
【００１６】
室内機１の本体１Ａの上部の四隅には、室内機１を空間Ｓに吊り下げて固定するのに利用される吊下金具５３が設けられている。そして、吊下金具５３は、たとえば建物躯体８１などに固定され、鉛直方向に伸びる棒状部材などに固定されて、室内機１が空間Ｓ内につり下げられるようになっている。
【００１７】
（熱交換器室２）
熱交換器室２は、送風機室３から空気が供給されるように送風機室３と連通しているものである。熱交換器室２は、対向する２面が開放されているものである。すなわち、熱交換器室２は、一方が送風機室３と連通するように開放されており、他方に吹出口７４が形成されて開放されている。そして、熱交換器室２には、送風機室３の送風機４１から供給される空気と図示省略の室外機から供給された冷媒とを熱交換させる室内熱交換器５１と、室内熱交換器５１で生成された結露水（ドレン水）を貯留するドレンパン５２とが搭載されている。
【００１８】
室内熱交換器５１は、熱交換器室２内に取り込まれた空気と、図示省略の室外機から供給される冷媒とを熱交換させるものであり、たとえば、複数平行に立設されたフィンと、当該フィンに接続され、冷媒が供給されるチューブとを有するフィンチューブ熱交換器などで構成するとよい。室内熱交換器５１は、熱交換器室２の底面に対して傾斜した姿勢で、ドレンパン５２上に支持されて設けられている。すなわち、室内熱交換器５１は、図１及び図２に示す状態においては、室内熱交換器５１のうちの送風機室３側の端部側が下側に位置し、反対側の端部側が上側に位置するように、傾斜した姿勢で熱交換器室２に搭載されている。なお、この室内熱交換器５１の態様は一例であり、この態様に限定されるものではない。たとえば、室内熱交換器５１は、室内熱交換器５１のうちの送風機室３側の端部側が上側に位置し、反対側の端部が下側に位置するように傾斜した姿勢であってもよい。また、室内熱交換器５１は、送風機室３側の端部側が下側に位置するように傾斜し、反対側が上側に位置する熱交換器と、送風機室３側の端部側が上側に位置するように傾斜し、反対側が下側に位置する熱交換器とが組み合わされて構成されるくの字のものであってもよい。ドレンパン５２は、室内熱交換器５１を支持するとともに、室内熱交換器５１から滴下するドレン水を貯留するものであり、たとえば、樹脂などを予め設定された形状に形成して構成されるものである。
【００１９】
（送風機室３）
送風機室３は、送風機室３に取り込んだ空気を後段の熱交換器室２に供給するように、熱交換器室２と連通しているものである。すなわち、送風機室３は、送風機４１から放出される空気が熱交換器室２側に供給されるように、熱交換器室２側が開放されている。送風機室３は、室内機１を横吸込仕様とするのに利用される第１の横側面吸込口７１及び室内機１を下吸込仕様とするのに利用される下面吸込口７２などが形成されている（図３参照）。なお、図１及び図２に示すように、横吸込仕様の場合には下面吸込口７２が閉塞され、後述する図３及び図４に示すように、下吸込仕様の場合には第１の横側面吸込口７１が閉塞される。
【００２０】
そして、送風機室３には、送風機室３内に空気を取り込むのに利用される送風機４１と、空気に含まれる塵、埃などを捕集するフィルタ部６１とが設けられている。また、送風機室３には、２台の送風機４１が、空気流れ方向とは直交する方向に並ぶようにして設けられている。送風機４１の台数は、２台に限定されるものではない。なお、送風機室３の側方には、送風機４１のモータの回転数などを制御するのに利用される制御ボックス５４が設けられている。送風機４１は、たとえばシロッコファンなどで構成されるものである。送風機４１は、図示省略の回転する羽根、羽根を回転させるモーター、及び羽根が収容されるファンケース４２を有している。
【００２１】
さらに、送風機室３は、上面Ｂ１も開放することができるようにノックアウト穴７６が設けられている。つまり、室内機１の送風機室３は、ユーザー、サービスマンなどが、ノックアウト穴７６を打ち抜いて開放することで、上面吸込口７３（図５参照）を形成することができるように構成されている。
【００２２】
フィルタ部６１は、フィルタ６１Ａ及びフィルタ６１Ａを保持する枠部６１Ｂを有している（図９参照）。この枠部６１Ｂは、第１の横側面吸込口７１又は下面吸込口７２の長手方向に平行に形成された長手枠６１Ｂ１と、第１の横側面吸込口７１又は下面吸込口７２の短手方向に平行に形成された短手枠６１Ｂ２とを有している。なお、枠部６１Ｂは、複数の長手枠６１Ｂ１と複数の短手枠６１Ｂ２とは、交差するように接続して構成されている。枠部６１Ｂの材料は、たとえばポリプロピレンなどの樹脂材料を採用するとよい。これにより、枠部６１Ｂに適度な可とう性、及び耐疲労性を具備させることができる。
【００２３】
なお、フィルタ部６１は、図１に示すように、室内機１が横吸込仕様である場合には、第１の横側面Ａ１に平行に取り付けられているものである。フィルタ部６１は、第１の横側面吸込口７１の形成面と対向するように配置され、第１の横側面吸込口７１を介して送風機室３に取り込まれる空気に含まれる塵埃などを捕集するのに利用される。第１の横側面Ａ１のうち第１の横側面吸込口７１の形成位置には、フィルタ部６１を保持するフィルタ部レール１７が設けられている。フィルタ部レール１７は、たとえばネジなどによって着脱自在に室内機１に取り付けられているものである。すなわち、フィルタ部レール１７は、ふさぎ板１４で下面Ｂ２の下面吸込口７２を閉塞している場合には第１の横側面Ａ１の第１の横側面吸込口７１の脇に取り付けられる。フィルタ部レール１７は、室内機１の下面Ｂ２から上面Ｂ１に向かう方向に平行に設けられている。
一方、フィルタ部レール１７は、ふさぎ板１４で第１の横側面Ａ１の第１の横側面吸込口７１を閉塞している場合には下面Ｂ２の下面吸込口７２の脇に取り付けられる。フィルタ部レール１７は、室内機１の第１の横側面Ａ１から第４の横側面Ａ４に向かう方向に平行に設けられている。
【００２４】
［横吸込仕様について］
図２に示すように、空調対象空間の空気は天井吸込口３１から空間Ｓに吸い込まれ、天井吹出口３２から吹き出される。図２に示す空間Ｓでは、室内機１の設置スペース、すなわち空間Ｓの水平方向の幅（室内機１のＹ方向と平行な方向の幅）が確保できるものとなっている。このような場合には、ふさぎ板１４で室内機１の下面吸込口７２を閉塞して第１の横側面吸込口７１を開放し、室内機１を横吸込仕様とする。そして、図２に示すように、たとえば、吹出口７４が天井吹出口３２側に位置し、第１の横側面吸込口７１が天井吸込口３１側に位置するように、室内機１を空間Ｓに配置する。
これにより、第１の横側面吸込口７１と建物躯体８１との間に、天井吸込口３１を通過した空気が流れる空間が確保され、天井吸込口３１から室内機１の第１の横側面吸込口７１へスムーズに空気が流れ込むこととなる。また、図２に示すように、天井吸込口３１の上側であって天井吹出口３２側に室内機１の第１の横側面吸込口７１が位置することとなり、フィルタ部６１を室内機１に着脱しやすくなる。
【００２５】
［下吸込仕様について］
図３は、実施の形態１に係る空気調和装置の室内機１を下吸込仕様とした場合の（ａ）斜視図及び（ｂ）縦断面図である。図４は、図３に示す下吸込仕様の室内機１を下がり天井３３内に設置した場合の模式図である。
図４の空間Ｓは、図２の空間Ｓよりも、室内機１のＹ方向と平行な方向の幅が小さい。このため、仮に、図４の下がり天井３３内に横吸込仕様の状態の室内機１を配置すると、空間Ｓの空気は、室内機１の下面Ｂ２に沿って回り込むようにしてから第１の横側面吸込口７１に流れ込むこととなり、空気の流れがスムーズとなりにくい。
【００２６】
そこで、図４の空間Ｓの場合には、図３に示すように、ふさぎ板１４で室内機１の第１の横側面吸込口７１を閉塞して下面吸込口７２を開放し、室内機１を下吸込仕様とする。そして、図４に示すように、下面吸込口７２が天井吸込口３１と対向するとともに、吹出口７４が天井吹出口３２と対向するように、室内機１を空間Ｓに配置する。
これにより、天井吸込口３１から室内機１の下面吸込口７２へスムーズに空気が流れ込むこととなる。また、図４に示すように、天井吸込口３１の対向位置に室内機１の下面吸込口７２が位置するので、フィルタ部６１を室内機１に着脱しやすい。さらに、室内機１を下吸込仕様とすると空間Ｓの室内機１のＹ方向と平行な方向の幅がその分小さくてもよいので、下がり天井３３の室内機１のＹ方向と平行な方向の幅を小さくすることもできる。
【００２７】
ただし、下吸込仕様では室内機１の下面Ｂ２を開放する。このため、たとえば下がり天井３３の位置が低い建物であったり、下がり天井３３内の音が響きやすかったりすると、送風機４１モータの回転音、送風機４１のファンの風切音などが空調対象空間に届き、ユーザーの快適性を損ねてしまう場合がある。このように、ユーザーの快適性を損ねてしまうなどの理由により、下吸込仕様ではなく横吸込仕様で用いたい場合がある。そこで、室内機１では、次に説明する横吸込仕様及び上吸込仕様を併用することができるように構成されている。
【００２８】
［横吸込仕様及び上吸込仕様の併用について］
図５は、実施の形態１に係る空気調和装置の室内機１について、横吸込仕様及び上吸込仕様を併用した場合の（ａ）斜視図及び（ｂ）縦断面図である。図６は、図５に示す横吸込仕様及び上吸込仕様の室内機１を下がり天井３３内に設置した場合の模式図である。
【００２９】
図６の空間Ｓは、図４の空間Ｓと同様であり、室内機１のＹ方向と平行な方向の幅が確保しにくいものである。それに加えて、送風機４１モータの回転音、送風機４１のファンの風切音などでユーザーの快適性が損なわれてしまうことを抑制したい状況である。そこで、上吸込仕様とするためにノックアウト穴７６を抜き去り、上面吸込口７３を形成する。これにより、室内機１の上面Ｂ１からも空気を吸い込むことができるようになる。
【００３０】
上面吸込口７３は、第１の横側面吸込口７１及び下面吸込口７２の長手方向（Ｘ方向）に伸びるように形成されている。図３の例では、上面吸込口７３は、３つ形成された例を示しているが、それに限定されるものではない。たとえば、単数でもよいし、２つ、或いは４つ以上であってもよい。上面吸込口７３は、室内機１の送風機室３の上面Ｂ１に形成されている。より詳細には、送風機室３の上面Ｂ１のうち、吹出口７４側ではなくその反対側の第１の横側面吸込口７１側に形成されている。これにより、天井吸込口３１と上面吸込口７３とを結ぶ流路が短くなる分、天井吸込口３１から空間Ｓに流入した空気が室内機１内にスムーズに流入する。
【００３１】
なお、上面吸込口７３を形成する手段としては、室内機１に打ち抜くことで上面吸込口７３が形成されるようなノックアウト穴７６を設けることに限定されるものではない。たとえば、上面吸込口７３を形成しておき、板状の部材でふさいでおき、必要な時にそれを取り外す構造としてもよい。また、上面吸込口７３を形成しておき、上面吸込口７３を閉塞しておく場合には粘着テープなどで塞ぐようにしてもよい。ユーザー、サービスマンなどは、粘着テープを剥がす、カッターなどで切り取ることで、上面吸込口７３を開放することができる。
【００３２】
［実施の形態１に係る空気調和装置の室内機１の効果］
本実施の形態１に係る空気調和装置の室内機１は、第１の横側面吸込口７１とともに本体１Ａ内に空気を取り込む上面吸込口７３が形成されている。このため、天井３３内における設置スペースの水平方向の幅（室内機１のＹ方向と平行な方向の幅）が小さくても、室内機１を横吸込仕様とした場合において、室内機１の本体１Ａ内に取り込まれる空気の量が低減してしまうことを抑制することができる。
【００３３】
本実施の形態１に係る空気調和装置の室内機１は、横吸込仕様とする場合、あるいは横吸込仕様及び上吸込仕様を併用する場合には、平らなフィルタ部６１を湾曲させて第１の横側面Ａ１の第１の横側面吸込口７１及び上面Ｂ１の上面吸込口７３に設けることができる。さらに、下吸込仕様とする場合には、フィルタ部６１を平らの状態のまま下面Ｂ２の下面吸込口７２に設けることができる。すなわち、フィルタ部６１は、形状を変えて下面吸込口７２、第１の横側面吸込口７１及び上面吸込口７３のいずれにも設けられる。
このように、本実施の形態１に係る空気調和装置の室内機１は、横吸込仕様と、横吸込仕様及び上吸込仕様と、下吸込仕様とについてフィルタ部６１が共通となっている。すなわち、フィルタ部６１の形状を湾曲させたり、配置位置を変更したりすることで、横吸込仕様と、横吸込仕様及び上吸込仕様と、下吸込仕様とのいずれでもフィルタ部６１を用いることができる。これにより、横吸込仕様と、横吸込仕様及び上吸込仕様と、下吸込仕様といった仕様に応じた専用のフィルタ部６１を用意する必要がなく、空気調和装置の室内機１の利便性が向上している。
【００３４】
実施の形態２．
図７は、実施の形態２に係る空気調和装置の室内機１Ｂのフィルタ部６１の取付方法及び取り付けた状態について説明する斜視図である。なお、図７は、室内機は上述した図５の室内機と同様に横吸込仕様及び上吸込仕様の併用をしているものである。図８は、図５に示す横吸込仕様及び上吸込仕様の室内機にフィルタ部６１が取り付けられた状態における短手方向に平行な縦断面図である。図９は、湾曲している状態のフィルタ部６１の斜視図である。図７〜図９を参照して、室内機１Ｂについて説明する。なお、実施の形態２の説明では、実施の形態１と共通する部分についての説明は同一の符号を付し、主に相違点について説明する。
実施の形態２では、１つのフィルタ部６１によって、第１の横側面吸込口７１及び上面吸込口７３の両方から吸い込まれる空気に含まれる塵、埃などを捕集することができるようにしたものである。すなわち、実施の形態２に係る室内機１Ｂには、フィルタ部６１が室内機１に取り付けられている状態において、フィルタ部６１が湾曲した状態を保持することができるフィルタガイド１９が設けられている。
【００３５】
フィルタガイド１９は、第１の横側面吸込口７１及び上面吸込口７３を開放する場合に利用され、フィルタ部６１を湾曲した状態で保持するものである。フィルタガイド１９は、第１の横側面Ａ１のうち第１の横側面吸込口７１の上側に取り付けられているものである。すなわち、フィルタガイド１９は、第１の横側面吸込口７１の開口部分の上側に設けられているものである。フィルタガイド１９は、図８に示すように、たとえば上面Ｂ１及び下面Ｂ２に対して傾斜し、第１の横側面Ａ１の第１の横側面吸込口７１側から上面Ｂ１の上面吸込口７３側に向かって延びるように設けられている板状部材などで構成するとよい。また、上パネル１１には、下側から上側に突出するように凹部１１Ａが形成されている。
【００３６】
フィルタ部６１は、ユーザー、サービスマンなどによって次のように取り付けられる。フィルタ部６１は、フィルタ部レール１７に沿って上側にスライド移動させられる。そして、フィルタ部６１は、ある程度上側に進んだところでフィルタガイド１９により強制的に湾曲させられる。つまり、フィルタ部６１は、第１の横側面Ａ１側から上面Ｂ１側に湾曲する。そして、フィルタ部６１は、さらに挿し進められると、フィルタ部６１の上側端部が上パネル１１の内面に接触する。フィルタ部６１の上側端部が上パネル１１の内面に接触している状態では、フィルタ部６１は、第１の横側面吸込口７１及び上面吸込口７３に対向している。フィルタ部６１の上側端部が上パネル１１の内面に接触すると、フィルタ部６１を上側にスライド移動させることができなくなってフィルタ部６１の位置決めがなされる。フィルタ部６１の上側端部は、凹部１１Ａ内に入るのでフィルタ部６１を上側にスライド移動させることができなくなる。なお、この凹部１１Ａには、上面吸込口７３が形成されている。
【００３７】
また、フィルタ部６１の下側端部を室内機１に固定する構造としては、たとえばフィルタ部６１に爪などを形成し、室内機１の第１の横側面に横梁などを形成したものを採用するとよい。すなわち、フィルタ部６１の爪を室内機１の第１の横側面Ａ１に形成された横梁などに引っ掛けることにより、フィルタ部６１がフィルタ部レール１７から抜けてしまうことを防止するようにするとよい。
なお、フィルタ部レール１７は、室内機１の下面Ｂ２から上面Ｂ１に向かう方向に伸びるように直線状に形成されているものとして説明しているが、それに限定されるものではない。レールだけで、フィルタ部６１を湾曲形状とすることができるように、フィルタガイド１９を設けず、フィルタ部レール１７の形状を湾曲形状としてもよい。ただし、フィルタ部レール１７を直線状とするとともにフィルタガイド１９を設ける態様の方が、フィルタ部レール１７を第１の横側面吸込口７１の脇に取り付ける場合、及び下面吸込口７２の脇に取り付ける場合で共用することができるため、コストアップを抑制することができる。
【００３８】
図１０は、下吸込仕様とした室内機１Ｂのフィルタの取付方法及び取り付けた状態について説明する斜視図である。横吸込仕様、或いは横吸込仕様及び上吸込仕様の併用をしている状態から、フィルタガイド１９を取り去り、フィルタ部６１、フィルタ部レール１７及びふさぎ板１４を入れ替えることで図１０の下吸込仕様の状態とすることができる。下吸込仕様の場合には、空間Ｓについて室内機１の短手方向と平行な方向の幅を確保できない場合が多い。このため、フィルタ部レール１７が下面Ｂ２に取り付けられる。これにより、サービスマンなどは、第４の横側面Ａ４から第１の横側面Ａ１に向かう方向にフィルタ部６１をスライド移動させることで、フィルタ部６１を室内機１に取り付けることができるようになっている。
【００３９】
また、フィルタ部６１を室内機１の下面Ｂ２に固定する構造としては、たとえばフィルタ部６１に爪などを形成し、室内機１の下面Ｂ２に横梁などを形成したものを採用するとよい。すなわち、フィルタ部６１のうちの第１の横側面Ａ１側の端部と第４の横側面Ａ４側の端部に爪を形成し、これらの爪を室内機１の下面Ｂ２に形成された横梁などに引っ掛けることで、フィルタ部６１がフィルタ部レール１７から抜けてしまうことを防止するようにするとよい。
【００４０】
図１１は、実施の形態２に係る空気調和装置の室内機１Ｂのフィルタ部６１の説明図である。なお、図１１（ａ）はフィルタ部６１の全体図であり、図１１（ｂ）は図１１（ａ）の要部拡大図である。フィルタ部６１の枠部６１Ｂの短手枠６１Ｂ２には、一部が薄肉形成されている。すなわち、短手枠６１Ｂ２は、長手枠６１Ｂ１との交差部分よりも、隣接する交差部分の間の部分の方が薄肉に形成されている。この薄肉に形成されている部分が薄肉部６１ｄである。フィルタ部６１に薄肉部６１ｄを設けることにより、フィルタ部６１を短手方向に湾曲させやすくすることができる。すなわち、フィルタ部６１をフィルタガイド１９で湾曲させやすくなる。
【００４１】
フィルタ部６１には、フィルタ部６１の長手方向に伸びるように形成された補強用リブ６１ｃを設けてもよい。この補強用リブ６１ｃは、枠部６１Ｂの長手枠６１Ｂ１に形成されている。すなわち、枠部６１Ｂには、フィルタ部６１の長手方向に伸びるように補強用リブ６１ｃが形成されている。これにより、フィルタ部６１の長手方向における強度を確保することができる。
【００４２】
［実施の形態２に係る空気調和装置の室内機１Ｂの効果］
実施の形態２に係る空気調和装置の室内機１Ｂは、実施の形態１に係る空気調和装置の室内機１の有する効果に加えて次の効果を有する。
実施の形態２に係る空気調和装置の室内機１Ｂは、フィルタガイド１９が設けられている。このため、上面吸込口７３を追加した場合でも、１枚のフィルタ部６１で第１の横側面吸込口７１及び上面吸込口７３から取り込まれる空気中の塵埃の捕集をすることができる。
【００４３】
また、ユーザー、サービスマンなどによる室内機１の下からの１回の作業でフィルタ部６１を室内機１に着脱することができる。すなわち、汚れ具合の確認や、清掃のための着脱が容易となっている。
【００４４】
実施の形態３．
図１２は、実施の形態３に係る空気調和装置の室内機１Ｃの斜視図である。図１３は、図１２に示す室内機１Ｃの第１の横側面Ａ１の第１の横側面吸込口に加えて、第２の横側面Ａ２の第２の横側面吸込口７５を開放した状態の説明図である。なお、実施の形態３の説明では、実施の形態１、２と共通する部分についての説明は同一の符号を付し、主に相違点について説明する。
実施の形態１で説明した横吸込仕様及び上吸込仕様を併用する場合には、建物躯体８１と室内機１の上面Ｂ１との間に空気を吸い込むためのスペースが２０ｍｍ程度確保されていることが好ましい。このスペースが確保できない場合を考慮したのが実施の形態３に係る室内機１Ｃである。
【００４５】
室内機１Ｃには、第２の横側面Ａ２に第２の横側面吸込口７５が形成されている。より詳細には、第２の横側面Ａ２のうちの送風機室３の部分に、長方形状の第２の横側面吸込口７５が形成されている。そして、室内機１Ｃには、第２の横側面吸込口７５を開放したいときに第２の横側面Ａ２から取り外される横ふさぎ板２０が設けられている。
【００４６】
第２の横側面吸込口７５には、横フィルタ部６２が取り付けられており、第２の横側面吸込口７５から送風機室３に流入する空気に含まれる塵、埃を捕集することができるようになっている。
なお、横フィルタ部６２も、フィルタ部６１と同様に、フィルタ及びフィルタを保持する枠部を有しているものである。なお、横フィルタ部６２は、第２の横側面吸込口７５の両脇に設けられた第２の横側面フィルタ部レール１８によって支持されている。第２の横側面フィルタ部レール１８は、室内機１Ｃの下面Ｂ２から上面Ｂ１に向かう方向に伸びるように形成されている。
【００４７】
［実施の形態３に係る空気調和装置の室内機１Ｃの効果］
本実施の形態３に係る空気調和装置の室内機１Ｃは、第２の横側面吸込口７５が設けられている。これにより、（１）下がり天井３３内の空間Ｓについて室内機１のＹ方向と平行な方向の幅が確保できない、（２）送風機４１のファンの風切音などを考慮する必要がある、（３）建物躯体８１と室内機１の上面Ｂ１との間に空気を吸い込むためのスペースが確保できない、という条件下においても次の効果を得ることができる。
すなわち、下がり天井３３内の空間Ｓについて室内機１のＸ方向と平行な方向の幅が確保できれば、実施の形態１に係る空気調和装置の室内機１と同様の効果、すなわち室内機１Ｃの送風機室３内により確実に空気を取り込むことができる。
【００４８】
実施の形態４．
図１４は、実施の形態４に係る空気調和装置の室内機１Ｄの説明図である。なお、実施の形態４の説明では、実施の形態１〜３と共通する部分についての説明は同一の符号を付し、主に相違点について説明する。フィルタ部６１のフィルタ６１Ａの一部は、ファンケース４２の下部に形成されている平らな部分４２ａに近接している。すなわち、室内機１Ｄは、天井３３内に設置することを想定しているため、その分低背化（薄型化）が要求されている。ファンケース４２と第１の横側面吸込口７１との間には、予め設定された間隔が空けられ、第１の横側面吸込口７１に設けられたフィルタ６１Ａとファンケース４２とが近接し、吸込面積（開口面積）が低減してしまうことはない。
【００４９】
しかし、ファンケース４２と下面吸込口７２との間の間隔は、ファンケース４２と第１の横側面吸込口７１との間の間隔よりも小さくなっており、下面吸込口７２に設けられたフィルタ６１Ａとファンケース４２とが近接することとなる。このため、下面吸込口７２の実質的な吸込面積が小さくなり、室内機１Ｄに取り込まれる空気の量が少なくなり、また、下面吸込口７２に空気が吸い込まれるときの音も増大する懸念がある。そこで、実施の形態４に係る室内機１Ｄでは、第１の横側面吸込口７１よりも下面吸込口７２の吸込面積の方が大きくなるようにしている。具体的には、第１の横側面吸込口７１及び下面吸込口７２の長手方向の幅は同様であるが、下面吸込口７２の方が第１の横側面吸込口７１よりも短手方向の幅が大きくなっている。これにより、第１の横側面吸込口７１と下面吸込口７２との実質的な吸込面積を同等程度にしている。
【００５０】
図１５は、第１の横側面吸込口７１を閉塞するようにふさぎ板大１５及びふさぎ板小１６を室内機１に取り付けた状態の室内機１Ｄの斜視図である。図１６は、下面吸込口７２を閉塞するようにふさぎ板大１５及びふさぎ板小１６を室内機１に取り付けた状態の室内機１Ｄの斜視図である。図１７は、フィルタ部６１の一部を取り去る構造の一例についての説明図である。図１５〜図１７を参照してふさぎ板大１５、ふさぎ板小１６及びフィルタ部６１について説明する。
【００５１】
室内機１Ｄは、第１の横側面吸込口７１よりも下面吸込口７２の吸込面積の方が大きくなるようにしている。このため、下吸込仕様（図１５）と横吸込仕様（図１６）とでは、ふさぎ板大１５及びふさぎ板小１６の利用の仕方が異なっている。
すなわち、下吸込仕様では、図１５に示すように、ふさぎ板大１５の上にふさぎ板小１６が重なるように、ふさぎ板大１５及びふさぎ板小１６が室内機１の第１の横側面Ａ１に固定される。
一方、横吸込仕様では、図１６に示すように、ふさぎ板大１５とふさぎ板小１６とが重ならないように並べられて、ふさぎ板大１５及びふさぎ板小１６が室内機１の下面Ｂ２に固定される。なお、この横吸込仕様の説明であるが、上吸込仕様及び横吸込仕様を併用する場合、及び実施の形態３の２つの横側面から吸い込む仕様の場合であっても、同様である。
【００５２】
このように、２分割された板材であるふさぎ板大１５及びふさぎ板小１６を室内機１に固定することで、下面吸込口７２の方が第１の横側面吸込口７１よりも短手方向の幅が大きくなっていても、いずれの吸込面も閉塞することができる。なお、ふさぎ板大１５及びふさぎ板小１６は、ヒンジ構造による折りたたみ式としてもよい。
【００５３】
図１７は、フィルタ部６１の一部を取り去る構造の一例についての説明図である。なお、図１７（ａ）はフィルタ部６１の斜視図であり、図１７（ｂ）は図１７（ａ）の四角で示す部分の拡大図である。実施の形態４では、第１の横側面吸込口７１よりも下面吸込口７２の吸込面積の方が大きくなるようにしているので、第１の横側面吸込口７１用のフィルタ、下面吸込口７２用のフィルタを別々に用意しなくてもいいように、フィルタ部６１を分離することができるように構成している。
【００５４】
実施の形態４では、フィルタ部６１が分割された第１のフィルタ部（フィルタ部大６１ａ）及び第２のフィルタ部（フィルタ部小６１ｂ）を有している。すなわち、フィルタ部６１がフィルタ部６１の一部を構成する第１のフィルタ部（フィルタ部大６１ａ）と、フィルタ部６１の残りを構成する第２のフィルタ部（フィルタ部小６１ｂ）とを有している。そして、フィルタ部大６１ａとフィルタ部小６１ｂとが、連結部６５で連結されることで一体のフィルタ部６１が構成されている。より詳細には、第１のフィルタ部であるフィルタ部大６１ａ及び第２のフィルタ部であるフィルタ部小６１ｂは、フィルタ部大６１ａの端部側と、フィルタ部大６１ａの端部側に対向するフィルタ部小６１ｂの端部側とを連結する複数の連結部６５が設けられている。この連結部６５は、たとえば、枠部６１Ｂとともに樹脂などで一体的に成形されている。
【００５５】
室内機１Ｄの出荷時には、下吸込仕様として下面吸込口７２にフィルタ部６１を取り付ける。そして、横吸込仕様に変更する場合は、フィルタ部小６１ｂを取り去ってフィルタ部大６１ａを第１の横側面吸込口７１に取り付ける。なお、ユーザー、サービスマンなどは、連結部６５をたとえばニッパーなどで切断することができる。
【００５６】
なお、フィルタ部大６１ａとフィルタ部小６１ｂとを連結する手段は、連結部６５に限定されるものではない。たとえば、また、枠部６１Ｂのうちの切断する箇所を全長に渡って薄肉にしておく手段を用いてもよい。ユーザー、サービスマンなどは、枠部６１Ｂの薄肉部分をカッターなどで切断することでフィルタ部大６１ａを得ることができる。
なお、枠部６１Ｂの薄肉部分を溝状にしてもよい。これにより、枠部６１Ｂを切断する際のガイド機能を持たせることができる。すなわち、ユーザー、サービスマンなどは、上述のカッターなどで切断する際に、溝に沿ってカッターの刃を進めることができる。また、枠部６１Ｂの薄肉部分を薄肉部分に断片的に切れ目を形成したミシン目状にしてもよい。これにより、カッターなどを用いずフィルタ部大６１ａとフィルタ部小６１ｂとを分離することができる。また、フィルタ部大６１ａ及びフィルタ部小６１ｂに、フィルタ部大６１ａとフィルタ部小６１ｂとを連結する突起、爪などを設ける態様であってもよい。さらに、フィルタ６１Ａは、一枚続きとしておき、枠部６１Ｂを切断する際にフィルタ６１Ａも一緒に切断する形態としても良い。
【００５７】
［実施の形態４に係る空気調和装置の室内機１Ｄの効果］
実施の形態４に係る空気調和装置の室内機１Ｄは、実施の形態１に係る空気調和装置の室内機１の有する効果に加えて次の効果を有する。
本実施の形態４に係る空気調和装置の室内機１Ｄは、第１の横側面吸込口７１よりも下面吸込口７２の吸込面積の方が大きくなるように構成したので、第１の横側面吸込口７１と下面吸込口７２との実質的な吸込面積を同等程度にすることができる。
【００５８】
また、実施の形態４に係る空気調和装置の室内機１Ｄは、下面吸込口７２に空気が吸い込まれるときの音が増大することを抑制し、ユーザーの快適性が損なわれることを抑制することができる。
【００５９】
また、実施の形態４に係る空気調和装置の室内機１Ｄは、フィルタ部６１を分離することができるように構成したので、第１の横側面吸込口７１用のフィルタ、下面吸込口７２用のフィルタを別々に用意しなくてもよい。
【００６０】
実施の形態５．
図１８は、実施の形態５に係る空気調和装置の室内機１Ｅの第１の横側面吸込口７１をダミーフィルタ１０２で閉塞し、下吸込仕様とした場合の斜視図である。図１９は、実施の形態５に係る空気調和装置の室内機１Ｅの下面吸込口７２をダミーフィルタ１０２で閉塞し、横吸込仕様とした場合の斜視図である。なお、実施の形態５の説明では、実施の形態１〜４と共通する部分についての説明は同一の符号を付し、主に相違点について説明する。
【００６１】
実施の形態５では、たとえばネジなどで室内機１に固定するふさぎ板１４の代替機能としてダミーフィルタ１０２を用いたものである。
ダミーフィルタ１０２は、第１の横側面吸込口７１、及び下面吸込口７２を塞ぐのに利用されるものである。ダミーフィルタ１０２は、フィルタ部６１と同じ形状であってフィルタ６１Ａの部分、すなわち濾材の部分を薄い樹脂膜としたものである。これにより、フィルタ部６１と同様にダミーフィルタ１０２もフィルタ部レール１７に差し込んで室内機１に固定することができるようになっている。つまり、ふさぎ板１４の代わりにダミーフィルタ１０２を採用することで、ネジを外すためのドライバーなどの工具なしで下吸込仕様と横吸込仕様とを変更することができる。
【００６２】
ただし、実施の形態５において、フィルタ部６１及びダミーフィルタ１０２の保持機構としてレール式の機構（フィルタ部レール１７）を用いる場合には、下面吸込口７２用のフィルタ部レール１７と、第１の横側面吸込口７１用のフィルタ部レール１７との両方が必要である。すなわち、実施の形態１では、ふさぎ板１４を利用していたため、フィルタ部レール１７を下面吸込口７２に取り付けたり、第１の横側面吸込口７１に取り付けたりすることができた。しかし、実施の形態５では、下面吸込口７２に、フィルタ部６１及びダミーフィルタ１０２にいずれか一方が取り付けられ、第１の横側面吸込口７１に他方が取り付けられることとなるので、下面吸込口７２用のフィルタ部レール１７と、第１の横側面吸込口７１用のフィルタ部レール１７との両方が必要である。
なお、実施の形態５において、フィルタ部６１及びダミーフィルタ１０２の保持機構として、フィルタ部６１及びダミーフィルタ１０２に爪などの引っ掛け構造を設ける場合には、下面吸込口７２用の保持機構及び第１の横側面吸込口７１用の保持機構の両方を室内機１の本体１Ａに設置する必要はない。このような保持構造としては、たとえば、フィルタ部６１及びダミーフィルタ１０２の短手方向の両端側に本体１Ａに引っ掛ける爪を設けることで実現することができる。
また、上記のレール式の機構と爪などの引っ掛け構造とを併用してもよい。たとえば、第１の横側面吸込口７１にフィルタ部レール１７を設け、フィルタ部レール１７にフィルタ部６１及びダミーフィルタ１０２を取り付けるようにする。そして、他方の下面吸込口７２については、フィルタ部６１及びダミーフィルタ１０２に爪を形成して、本体１Ａに引っ掛けるようにすればよい。
【００６３】
なお、ダミーフィルタ１０２は、フィルタ部６１と別々の金型としてもよいが、生産台数が多くない場合などでは、キャビティ側あるいはコア側のいずれか一方を共用、あるいは一部をスライド構造とすることで、金型費用の削減が可能である。
【００６４】
［実施の形態５に係る空気調和装置の室内機１Ｅの効果］
実施の形態５に係る空気調和装置の室内機１Ｅは、実施の形態１に係る空気調和装置の室内機１の有する効果に加えて次の効果を有する。
実施の形態５に係る空気調和装置の室内機１Ｅは、ふさぎ板１４の代わりにダミーフィルタ１０２を有しているものである。これにより、ドライバーなどの工具を用いないで下吸込仕様と横吸込仕様とを変更することができる。
【００６５】
また、室内機１Ｅの出荷時にフィルタ部６１とダミーフィルタ１０２を室内機１に組み込まず、説明書などとともに付属品として同梱しておけば横吸込仕様と下吸込仕様の出荷時の区別がなくなり、いずれの仕様の場合でも設置時の手間が削減できる。
【符号の説明】
【００６６】
１  室内機、１Ａ  本体、１Ｂ  室内機、１Ｃ  室内機、１Ｄ  室内機、１Ｅ  室内機、２  熱交換器室、３  送風機室、１１  上パネル、１１Ａ  凹部、１２  パネル、１４  ふさぎ板、１５  ふさぎ板大、１６  ふさぎ板小、１７  フィルタ部レール、１８  第２の横側面フィルタ部レール、１９  フィルタガイド、２０  ふさぎ板、３１  天井吸込口、３２  天井吹出口、３３  天井、４１  送風機、４２  ファンケース、４２ａ  部分、５１  室内熱交換器、５２  ドレンパン、５３  吊下金具、５４  制御ボックス、６１  フィルタ部、６１Ａ  フィルタ、６１Ｂ  枠部、６１Ｂ１  長手枠、６１Ｂ２  短手枠、６１ａ  フィルタ部大、６１ｂ  フィルタ部小、６１ｃ  補強用リブ、６１ｄ  薄肉部、６２  横フィルタ部、６５  結合部、７１  第１の横側面吸込口、７２  下面吸込口、７３  上面吸込口、７４  吹出口、７５  第２の横側面吸込口、７６  ノックアウト穴、８１  建物躯体、１０２  ダミーフィルタ、Ａ１  第１の横側面、Ａ２  第２の横側面、Ａ３  第３の横側面、Ａ４  第４の横側面、Ｂ１  上面、Ｂ２  下面、Ｓ  空間。
【図１】
2015068550.tif 000003
【図２】
2015068550.tif 000004
【図３】
2015068550.tif 000005
【図４】
2015068550.tif 000006
【図５】
2015068550.tif 000007
【図６】
2015068550.tif 000008
【図７】
2015068550.tif 000009
【図８】
2015068550.tif 000010
【図９】
2015068550.tif 000011
【図１０】
2015068550.tif 000012
【図１１】
2015068550.tif 000013
【図１２】
2015068550.tif 000014
【図１３】
2015068550.tif 000015
【図１４】
2015068550.tif 000016
【図１５】
2015068550.tif 000017
【図１６】
2015068550.tif 000018
【図１７】
2015068550.tif 000019
【図１８】
2015068550.tif 000020
【図１９】
2015068550.tif 000021